【手続補正書】
【提出日】平成18年9月14日(2006.9.14)
【手続補正１】
【補正対象書類名】明細書
【補正対象項目名】発明の名称
【補正方法】変更
【補正の内容】
【発明の名称】撮像装置、画像処理方法、及びコンピュータ読み取り可能な記憶媒体
【手続補正２】
【補正対象書類名】明細書
【補正対象項目名】特許請求の範囲
【補正方法】変更
【補正の内容】
【特許請求の範囲】
【請求項１】  撮像手段と、
複数の撮影モードのうち一つの撮影モードを選択するための選択手段と、
前記選択手段により選択された撮影モードに応じて、可変ビットレート符号化方式により前記撮像手段で得られた動画像信号を符号化する符号化手段と、
前記符号化手段により得られた符号化動画像データを記録する記録手段とを備え、
前記符号化手段では、前記撮影モードとして、通常のシャッタ速度よりもシャッタ速度が速いモードが選択された際には、前記符号化動画像データの符号量の割り当てを通常のシャッタ速度のモードのときよりも多くすることを特徴とする撮像装置。
【請求項２】  撮像手段と、
複数の撮影モードのうち一つの撮影モードを選択するための選択手段と、
前記選択手段により選択された撮影モードに応じて、可変ビットレート符号化方式により前記撮像手段で得られた動画像信号を符号化する符号化手段と、
前記符号化手段により得られた符号化動画像データを記録する記録手段とを備え、
前記符号化手段では、前記撮影モードとして、通常のシャッタ速度よりもシャッタ速度が遅いモードが選択された際には、前記符号化動画像データの符号量の割り当てを通常のシャッタ速度のモードのときよりも少なくすることを特徴とする撮像装置。
【請求項３】  前記符号化手段は、フレーム内符号化処理とフレーム間予測符号化処理とを用いて、前記撮像手段で得られた動画像信号を符号化し、通常のシャッタ速度よりもシャッタ速度が遅いモードが選択された際には、前記フレーム間予測符号化されたフレームの符号量の割り当てを通常のシャッタ速度のモードのときよりも少なくすることを特徴とする請求項２に記載の撮像装置。
【請求項４】  撮像手段と、
複数の撮影モードのうち一つの撮影モードを選択するための選択手段と、
前記選択手段により選択された撮影モードに応じて、可変ビットレート符号化方式により前記撮像手段で得られた動画像信号を符号化する符号化手段と、
前記符号化手段により得られた符号化動画像データを記録する記録手段とを備え、
前記符号化手段では、前記撮影モードとして、単一色撮影モードが選択された際には、前記符号化動画像データのうち色差信号の符号量の割り当てを通常の撮影モードのときよりも少なくすることを特徴とする撮像装置。
【請求項５】  前記単一色撮影モードは、白黒画像撮影モード又はセピア画像撮影モード又は赤外画像撮影モードであることを特徴とする請求項４に記載の撮像装置。
【請求項６】  撮像手段により得られた動画像信号を処理する画像処理方法であって、
複数の撮影モードから選択された撮影モードに応じて、可変ビットレート符号化方式により前記撮像手段で得られた動画像信号を符号化する符号化ステップと、
前記符号化ステップにより得られた符号化動画像データを記録する記録ステップとを有し、
前記符号化ステップでは、前記撮影モードとして、通常のシャッタ速度よりもシャッタ速度が速いモードが選択された際には、前記符号化動画像データの符号量の割り当てを通常のシャッタ速度のモードのときよりも多くすることを特徴とする画像処理方法。
【請求項７】  撮像手段により得られた動画像信号を処理するためのコンピュータプログラムを記憶したコンピュータ読み取り可能な記憶媒体であって、
複数の撮影モードから選択された撮影モードに応じて、可変ビットレート符号化方式により前記撮像手段で得られた動画像信号を符号化する符号化処理と、
前記符号化処理により得られた符号化動画像データを記録する記録処理とをコンピュータに実行させ、
前記符号化処理では、前記撮影モードとして、通常のシャッタ速度よりもシャッタ速度が速いモードが選択された際には、前記符号化動画像データの符号量の割り当てを通常のシャッタ速度のモードのときよりも多くすることを特徴とするコンピュータ読み取り可能な記憶媒体。
【請求項８】  撮像手段により得られた動画像信号を処理する画像処理方法であって、
複数の撮影モードから選択された撮影モードに応じて、可変ビットレート符号化方式により前記撮像手段で得られた動画像信号を符号化する符号化ステップと、
前記符号化ステップにより得られた符号化動画像データを記録する記録ステップとを有し、
前記符号化ステップでは、前記撮影モードとして、通常のシャッタ速度よりもシャッタ速度が遅いモードが選択された際には、前記符号化動画像データの符号量の割り当てを通常のシャッタ速度のモードのときよりも少なくすることを特徴とする画像処理方法。
【請求項９】  前記符号化ステップにおいて、フレーム内符号化処理とフレーム間予測符号化処理とを用いて、前記撮像手段で得られた動画像信号を符号化し、通常のシャッタ速度よりもシャッタ速度が遅いモードが選択された際には、前記フレーム間予測符号化されたフレームの符号量の割り当てを通常のシャッタ速度のモードのときよりも少なくすることを特徴とする請求項８に記載の画像処理方法。
【請求項１０】  撮像手段により得られた動画像信号を処理するためのコンピュータプログラムを記憶したコンピュータ読み取り可能な記憶媒体であって、
複数の撮影モードから選択された撮影モードに応じて、可変ビットレート符号化方式により前記撮像手段で得られた動画像信号を符号化する符号化処理と、
前記符号化処理により得られた符号化動画像データを記録する記録処理とをコンピュータに実行させ、
前記符号化処理では、前記撮影モードとして、通常のシャッタ速度よりもシャッタ速度が遅いモードが選択された際には、前記符号化動画像データの符号量の割り当てを通常のシャッタ速度のモードのときよりも少なくすることを特徴とするコンピュータ読み取り可能な記憶媒体。
【請求項１１】  前記符号化処理において、フレーム内符号化処理とフレーム間予測符号化処理とを用いて、前記撮像手段で得られた動画像信号を符号化し、通常のシャッタ速度よりもシャッタ速度が遅いモードが選択された際には、前記フレーム間予測符号化されたフレームの符号量の割り当てを通常のシャッタ速度のモードのときよりも少なくすることを特徴とする請求項１０に記載のコンピュータ読み取り可能な記憶媒体。
【請求項１２】  撮像手段により得られた動画像信号を処理する画像処理方法であって、
複数の撮影モードから選択された撮影モードに応じて、可変ビットレート符号化方式により前記撮像手段で得られた動画像信号を符号化する符号化ステップと、
前記符号化ステップにより得られた符号化動画像データを記録する記録ステップとを有し、
前記符号化ステップでは、前記撮影モードとして、単一色撮影モードが選択された際には、前記符号化動画像データのうち色差信号の符号量の割り当てを通常の撮影モードのときよりも少なくすることを特徴とする画像処理方法。
【請求項１３】  撮像手段により得られた動画像信号を処理するためのコンピュータプログラムを記憶したコンピュータ読み取り可能な記憶媒体であって、
複数の撮影モードから選択された撮影モードに応じて、可変ビットレート符号化方式により前記撮像手段で得られた動画像信号を符号化する符号化処理と、
前記符号化処理により得られた符号化動画像データを記録する記録処理とをコンピュータに実行させ、
前記符号化処理では、前記撮影モードとして、単一色撮影モードが選択された際には、前記符号化動画像データのうち色差信号の符号量の割り当てを通常の撮影モードのときよりも少なくすることを特徴とするコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、撮像装置、画像処理方法、及びそれらに用いられるコンピュータ読み取り可能な記憶媒体に関し、特に動画像データに圧縮処理して記録媒体に記録するのに用いて好適なものである。
【手続補正４】
【補正対象書類名】明細書
【補正対象項目名】０００７
【補正方法】変更
【補正の内容】
【０００７】
本発明は、このような問題を解決するために成されたものであり、各種撮影モードに応じて画像データの符号量の割り当てを変化させ、撮影の意図に応じて、画質を向上させたり、記録時間の長時間化を図ったりすることのできる撮像装置を提供することを目的とする。
【手続補正５】
【補正対象書類名】明細書
【補正対象項目名】０００８
【補正方法】変更
【補正の内容】
【０００８】
【課題を解決するための手段】
本発明の撮像装置は、撮像手段と、複数の撮影モードのうち一つの撮影モードを選択するための選択手段と、前記選択手段により選択された撮影モードに応じて、可変ビットレート符号化方式により前記撮像手段で得られた動画像信号を符号化する符号化手段と、前記符号化手段により得られた符号化動画像データを記録する記録手段とを備え、前記符号化手段では、前記撮影モードとして、通常のシャッタ速度よりもシャッタ速度が速いモードが選択された際には、前記符号化動画像データの符号量の割り当てを通常のシャッタ速度のモードのときよりも多くすることを特徴とする。
【手続補正６】
【補正対象書類名】明細書
【補正対象項目名】０００９
【補正方法】変更
【補正の内容】
【０００９】
また、本発明の撮像装置は、撮像手段と、複数の撮影モードのうち一つの撮影モードを選択するための選択手段と、前記選択手段により選択された撮影モードに応じて、可変ビットレート符号化方式により前記撮像手段で得られた動画像信号を符号化する符号化手段と、前記符号化手段により得られた符号化動画像データを記録する記録手段とを備え、前記符号化手段では、前記撮影モードとして、通常のシャッタ速度よりもシャッタ速度が遅いモードが選択された際には、前記符号化動画像データの符号量の割り当てを通常のシャッタ速度のモードのときよりも少なくすることを特徴とする。
【手続補正７】
【補正対象書類名】明細書
【補正対象項目名】００１０
【補正方法】変更
【補正の内容】
【００１０】
また、本発明の撮像装置は、撮像手段と、複数の撮影モードのうち一つの撮影モードを選択するための選択手段と、前記選択手段により選択された撮影モードに応じて、可変ビットレート符号化方式により前記撮像手段で得られた動画像信号を符号化する符号化手段と、前記符号化手段により得られた符号化動画像データを記録する記録手段とを備え、前記符号化手段では、前記撮影モードとして、単一色撮影モードが選択された際には、前記符号化動画像データのうち色差信号の符号量の割り当てを通常の撮影モードのときよりも少なくすることを特徴とする。
【手続補正８】
【補正対象書類名】明細書
【補正対象項目名】００１１
【補正方法】変更
【補正の内容】
【００１１】
また、本発明の画像処理方法は、撮像手段により得られた動画像信号を処理する画像処理方法であって、複数の撮影モードから選択された撮影モードに応じて、可変ビットレート符号化方式により前記撮像手段で得られた動画像信号を符号化する符号化ステップと、前記符号化ステップにより得られた符号化動画像データを記録する記録ステップとを有し、前記符号化ステップでは、前記撮影モードとして、通常のシャッタ速度よりもシャッタ速度が速いモードが選択された際には、前記符号化動画像データの符号量の割り当てを通常のシャッタ速度のモードのときよりも多くすることを特徴とする。
【手続補正９】
【補正対象書類名】明細書
【補正対象項目名】００１２
【補正方法】変更
【補正の内容】
【００１２】
また、本発明のコンピュータ読み取り可能な記憶媒体は、撮像手段により得られた動画像信号を処理するためのコンピュータプログラムを記憶したコンピュータ読み取り可能な記憶媒体であって、複数の撮影モードから選択された撮影モードに応じて、可変ビットレート符号化方式により前記撮像手段で得られた動画像信号を符号化する符号化処理と、前記符号化処理により得られた符号化動画像データを記録する記録処理とをコンピュータに実行させ、前記符号化処理では、前記撮影モードとして、通常のシャッタ速度よりもシャッタ速度が速いモードが選択された際には、前記符号化動画像データの符号量の割り当てを通常のシャッタ速度のモードのときよりも多くすることを特徴とする。
【手続補正１０】
【補正対象書類名】明細書
【補正対象項目名】００１３
【補正方法】変更
【補正の内容】
【００１３】
また、本発明の画像処理方法は、撮像手段により得られた動画像信号を処理する画像処理方法であって、複数の撮影モードから選択された撮影モードに応じて、可変ビットレート符号化方式により前記撮像手段で得られた動画像信号を符号化する符号化ステップと、前記符号化ステップにより得られた符号化動画像データを記録する記録ステップとを有し、前記符号化ステップでは、前記撮影モードとして、通常のシャッタ速度よりもシャッタ速度が遅いモードが選択された際には、前記符号化動画像データの符号量の割り当てを通常のシャッタ速度のモードのときよりも少なくすることを特徴とする。
【手続補正１１】
【補正対象書類名】明細書
【補正対象項目名】００１４
【補正方法】変更
【補正の内容】
【００１４】
また、本発明のコンピュータ読み取り可能な記憶媒体は、撮像手段により得られた動画像信号を処理するためのコンピュータプログラムを記憶したコンピュータ読み取り可能な記憶媒体であって、複数の撮影モードから選択された撮影モードに応じて、可変ビットレート符号化方式により前記撮像手段で得られた動画像信号を符号化する符号化処理と、前記符号化処理により得られた符号化動画像データを記録する記録処理とをコンピュータに実行させ、前記符号化処理では、前記撮影モードとして、通常のシャッタ速度よりもシャッタ速度が遅いモードが選択された際には、前記符号化動画像データの符号量の割り当てを通常のシャッタ速度のモードのときよりも少なくすることを特徴とする。
【手続補正１２】
【補正対象書類名】明細書
【補正対象項目名】００１５
【補正方法】変更
【補正の内容】
【００１５】
また、本発明の画像処理方法は、撮像手段により得られた動画像信号を処理する画像処理方法であって、複数の撮影モードから選択された撮影モードに応じて、可変ビットレート符号化方式により前記撮像手段で得られた動画像信号を符号化する符号化ステップと、前記符号化ステップにより得られた符号化動画像データを記録する記録ステップとを有し、前記符号化ステップでは、前記撮影モードとして、単一色撮影モードが選択された際には、前記符号化動画像データのうち色差信号の符号量の割り当てを通常の撮影モードのときよりも少なくすることを特徴とする。
【手続補正１３】
【補正対象書類名】明細書
【補正対象項目名】００１６
【補正方法】変更
【補正の内容】
【００１６】
また、本発明のコンピュータ読み取り可能な記憶媒体は、撮像手段により得られた動画像信号を処理するためのコンピュータプログラムを記憶したコンピュータ読み取り可能な記憶媒体であって、複数の撮影モードから選択された撮影モードに応じて、可変ビットレート符号化方式により前記撮像手段で得られた動画像信号を符号化する符号化処理と、前記符号化処理により得られた符号化動画像データを記録する記録処理とをコンピュータに実行させ、前記符号化処理では、前記撮影モードとして、単一色撮影モードが選択された際には、前記符号化動画像データのうち色差信号の符号量の割り当てを通常の撮影モードのときよりも少なくすることを特徴とする。
【手続補正１４】
【補正対象書類名】明細書
【補正対象項目名】００１７
【補正方法】変更
【補正の内容】
【００１７】
上記のように構成した本発明によれば、選択設定された撮影モード、具体的にはノーマルモード、スポーツモード、スローシャッタモード、セピアモード、白黒モード、赤外モード等に応じて、画像データの符号量の割り当てを変化させることで、撮影の意図を画像データに反映させることが可能となる。
【手続補正１５】
【補正対象書類名】明細書
【補正対象項目名】００５１
【補正方法】変更
【補正の内容】
【００５１】
【発明の効果】
以上説明したように本発明によれば、撮影モード、すなわち、撮影の意図を、画像処理に反映させて、画像データの符号量の割り当てを変化させることができる。したがって、撮影の意図に応じて、画質を向上させたり、記録時間の長時間化を図ったりすることができる。